(57)【要約】【課題】着脱型記録媒体を前回の再生開始位置と同じ位置から再度再生する場合において、再生開始まで時間を短縮する。【解決手段】着脱型記録媒体を装填するためのディスクドライブ部３３０と、光ディスクＤからデータを読み出す光ディスク読み出し部３２２と、データを記憶するための記憶部３４０とを備える光ディスク再生装置１１０であって、再生時に、光ディスク読み出し部３２２に、再生開始位置から所定時間分のデータを光ディスクＤから読み出させ、該データを記憶部に記憶させるデータ記憶手段と、再生開始位置から再生を再開する時、該データを読み出すデータ読み出し手段とを備える【選択図】図２９
2010244656.tif 000002
【特許請求の範囲】
【請求項１】
着脱型記録媒体を装填するための記録媒体ドライブ部と、
上記記録媒体ドライブ部に装填されている着脱型記録媒体からデータを読み出す記録媒体読み出し部と、
着脱型記録媒体のデータを記憶するための記憶部とを備える着脱型記録媒体再生装置であって、
再生時に、上記記録媒体読み出し部に、再生開始位置から所定時間分のデータを着脱型記録媒体から読み出させ、該データを上記記憶部に記憶させるデータ記憶手段と、
上記再生開始位置から再生を再開する時、上記記憶部から上記データを読み出すデータ読み出し手段とを備えることを特徴とする着脱型記録媒体再生装置。
【請求項２】
上記データ記憶手段は、再生停止時に、上記記録媒体読み出し部に読み出させた、再生停止した位置から所定時間分のデータを、上記記憶部に記憶させ、
上記データ読み出し手段は、再生再開時に、上記記憶部から上記データを読み出すことを特徴とする請求項１に記載の着脱型記録媒体再生装置。
【請求項３】
上記記録媒体読み出し部は、着脱型記録媒体の再生中、所定時間分のデータを先読みするものであり、
上記データ記憶手段は、再生停止時の直前に上記記録媒体読み出し部が先読みしたデータを、上記記憶部に記憶することを特徴とする請求項２に記載の着脱型記録媒体再生装置。
【請求項４】
上記記憶部は、上記データを記憶するための複数個のデータ領域に分割されているとともに、該データ領域は、各々別個の着脱型記録媒体に割り当てられており、
上記記録媒体ドライブ部に装填されている着脱型記録媒体に割り当てられているデータ領域を特定するデータ領域特定手段を備え、
上記データ記憶手段は、再生停止時に、上記データ領域特定手段によって特定されたデータ領域に、上記記録媒体読み出し部が着脱型記録媒体から読み出した上記データを記憶させ、
上記データ読み出し手段は、再生再開時に、上記データ領域特定手段によって特定されたデータ領域から、上記データを読み出すことを特徴とする請求項１から３のいずれか１項に記載の着脱型記録媒体再生装置。
【請求項５】
上記データ記憶手段は、上記データを上記データ領域に記憶する際、該データの着脱型記録媒体上での位置を示す位置情報を、該データと対応付けて記憶し、
上記データ読み出し手段は、再生再開時に、再生再開時の着脱型記録媒体上のデータの位置を示す上記位置情報が上記データ領域に記憶されている場合、該位置情報に対応付けて記憶されているデータを上記データ領域から読み出すことを特徴とする請求項４に記載の着脱型記録媒体再生装置。
【請求項６】
上記データ領域は、割り当てられた１つの着脱型記録媒体について、上記位置情報と、該位置情報に対応付けられるデータとを複数組記憶可能であることを特徴とする請求項５に記載の着脱型記録媒体再生装置。
【請求項７】
着脱型記録媒体を装填するための記録媒体ドライブ部と、
上記記録媒体ドライブ部に装填されている着脱型記録媒体からデータを読み出す記録媒体読み出し部と、
着脱型記録媒体のデータを記憶するための記憶部とを備える着脱型記録媒体再生装置における着脱型記録媒体再生方法であって、
再生時に、上記記録媒体読み出し部に、再生開始位置から所定時間分のデータを着脱型記録媒体から読み出させ、該データを上記記憶部に記憶するデータ記憶ステップと、
上記再生開始位置から再生を再開する時、上記記憶部から上記データを読み出すデータ読み出しステップとを含むことを特徴とする着脱型記録媒体再生方法。
【請求項８】
請求項１から６のいずれか１項に記載の着脱型記録媒体再生装置が備えている各手段として、コンピュータを機能させることを特徴とするプログラム。
【請求項９】
請求項８に記載のプログラムを記録したコンピュータ読み取り可能な記録媒体。
【発明の詳細な説明】
【技術分野】
【０００１】
本発明は、記憶部を備えた着脱型記録媒体再生装置、及び、その着脱型記録媒体再生装置での着脱型記録媒体再生方法に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。
【０００３】
ここで、一般に着脱型記録媒体の一例である光ディスクの再生は、ディスクの読み込みに時間がかかるため、ユーザーがディスクを挿入してから、実際に再生が開始されるまでに時間を要する。
【０００４】
特に光ディスクとして上記ＢＤが用いられる場合には、デジタルビデオティスク（ＤＶＤ）やコンパクトディスク（ＣＤ）の再生に比べて、再生が開始されるまでの時間がより長くなっている。
【０００５】
光ディスクの再生において、再生が開始されるまでの時間を短縮する技術として、下記特許文献１には、再生を途中停止した際、その停止位置から所定の区間の情報を先読み・記憶し、続きからレジューム再生する際、その記憶した情報を再生する技術が記載されている。
【０００６】
また、下記特許文献２には、予めバッファメモリに書き込まれた再生データを読み出して、再生再開の遅れを改善する記録媒体制御装置において、バッファメモリのデータ残量を適切に保つ方法が記載されている。
【先行技術文献】
【特許文献】
【０００７】
【特許文献１】特開２００５−２９３７８４号公報（公開日：２００５（平成１７）年１０月２０日）
【特許文献２】特開２００６−９９８９７号公報（公開日：２００６（平成１８）年４月１３日）
【発明の概要】
【発明が解決しようとする課題】
【０００８】
しかしながら、上記従来技術には、光ディスクの再生を一旦途中停止したのち、当該光ディスクを再度、前回の再生と同じ場所から再生する場合に、再生開始までの時間を短縮することが困難であるとの課題がある。これは、上記従来技術では、メモリ等に記憶されるデータは、再生停止位置からの所定の期間のデータだからである。
【０００９】
また、上記従来技術には、光ディスクの再生を一旦途中停止したのち、当該光ディスクとは異なる光ディスクを先頭から再生したり、途中から再生したりする際に、再生開始までの時間を短縮することが困難であるとの課題がある。
【００１０】
これは、メモリ等に記憶される、停止位置からの所定の期間の上記データは、直前に再生停止された光ディスクのデータだからである。
【００１１】
そこで本発明は、上記課題を解決するためになされたものであり、その目的は、前回の再生開始位置と同じ位置から再度再生する場合においても、再生開始まで時間を短縮することが可能な光ディスク再生方法及び光ディスク装置を提供することにある。
【課題を解決するための手段】
【００１２】
本発明の着脱型記録媒体再生装置は、上記課題を解決するために、
着脱型記録媒体を装填するための記録媒体ドライブ部と、
上記記録媒体ドライブ部に装填されている着脱型記録媒体からデータを読み出す記録媒体読み出し部と、
着脱型記録媒体のデータを記憶するための記憶部とを備える着脱型記録媒体再生装置であって、
再生時に、上記記録媒体読み出し部に、再生開始位置から所定時間分のデータを着脱型記録媒体から読み出させ、該データを上記記憶部に記憶させるデータ記憶手段と、
上記再生開始位置から再生を再開する時、上記記憶部から上記データを読み出すデータ読み出し手段とを備えることを特徴とする。
【００１３】
また、本発明の着脱型記録媒体再生方法は、上記課題を解決するために、
着脱型記録媒体を装填するための記録媒体ドライブ部と、
上記記録媒体ドライブ部に装填されている着脱型記録媒体からデータを読み出す記録媒体読み出し部と、
着脱型記録媒体のデータを記憶するための記憶部とを備える着脱型記録媒体再生装置における着脱型記録媒体再生方法であって、
再生時に、上記記録媒体読み出し部に、再生開始位置から所定時間分のデータを着脱型記録媒体から読み出させ、該データを上記記憶部に記憶するデータ記憶ステップと、
上記再生開始位置から再生を再開する時、上記記憶部から上記データを読み出すデータ読み出しステップとを含むことを特徴とする。
【００１４】
上記構成及び方法によれば、再生停止時までに、着脱型記録媒体の再生先頭から所定時間分のデータが記憶されるとともに、その読み出しが可能である。
【００１５】
そのため、再生再開時に、前回再生開始した箇所から再生する場合、レスポンスの早い再生が可能となる。
【００１６】
以上より、上記構成及び方法によれば、前回の再生開始位置と同じ位置から再度再生する場合においても、再生開始まで時間を短縮することが可能となる。
【００１７】
また、本発明の着脱型記録媒体再生装置は、
上記データ記憶手段は、再生停止時に、上記記録媒体読み出し部に読み出させた、再生停止した位置から所定時間分のデータを、上記記憶部に記憶させ、
上記データ読み出し手段は、再生再開時に、上記記憶部から上記データを読み出すことを特徴とする。
【００１８】
上記構成によれば、着脱型記録媒体の再生停止位置から所定時間分のデータが記憶されるとともに、その読み出しが可能である。
【００１９】
そのため、再生再開時に、前回再生停止した箇所から再生する場合でも、レスポンスの早い再生が可能となる。
【００２０】
また、本発明の着脱型記録媒体再生装置は、
上記記録媒体読み出し部は、着脱型記録媒体の再生中、所定時間分のデータを先読みするものであり、
上記データ記憶手段は、再生停止時の直前に上記記録媒体読み出し部が先読みしたデータを、上記記憶部に記憶することを特徴とする。
【００２１】
上記の構成によれば、先読みされたデータが、再生停止時に、再生再開時に再生するデータとして記憶される。
【００２２】
そのため、再生停止時に、着脱型記録媒体へのアクセスや着脱型記録媒体の回転などをすぐに停止することができる。
【００２３】
また、本発明の着脱型記録媒体再生装置は、
上記記憶部は、上記データを記憶するための複数個のデータ領域に分割されているとともに、該データ領域は、各々別個の着脱型記録媒体に割り当てられており、
上記記録媒体ドライブ部に装填されている着脱型記録媒体に割り当てられているデータ領域を特定するデータ領域特定手段を備え、
上記データ記憶手段は、再生停止時に、上記データ領域特定手段によって特定されたデータ領域に、上記記録媒体読み出し部が着脱型記録媒体から読み出した上記データを記憶させ、
上記データ読み出し手段は、再生再開時に、上記データ領域特定手段によって特定されたデータ領域から、上記データを読み出すことを特徴とする。
【００２４】
上記の構成によれば、再生再開時に再生するデータ再生が、各々別個の着脱型記録媒体に割り当てられているデータ領域に記憶されるとともに、そのデータを読み出すことができる。
【００２５】
そのため、再生停止後、再生再開前に異なる着脱型記録媒体に入れ替えても、該着脱型記録媒体に割り当てられたデータ領域から、再生データを読み出すことができる。
【００２６】
また、本発明の着脱型記録媒体再生装置は、
上記データ記憶手段は、上記データを上記データ領域に記憶する際、該データの着脱型記録媒体上での位置を示す位置情報を、該データと対応付けて記憶し、
上記データ読み出し手段は、再生再開時に、再生再開時の着脱型記録媒体上のデータの位置を示す上記位置情報が上記データ領域に記憶されている場合、該位置情報に対応付けて記憶されているデータを上記データ領域から読み出すことを特徴とする。
【００２７】
上記構成によれば、再生データに対応した停止位置情報が記録されているので、１個のデータ領域に、異なる位置から始まる複数個の再生データが記録されている場合、所望の再生データの検索が容易になる。
【００２８】
また、本発明の着脱型記録媒体再生装置は、
上記データ領域は、割り当てられた１つの着脱型記録媒体について、上記位置情報と、該位置情報に対応付けられるデータとを複数組記憶可能であることを特徴とする。
【００２９】
上記構成によれば、再生データが上書きされることなく、複数個蓄積していくことができる。
【００３０】
なお、上記着脱型記録媒体再生装置は、コンピュータによって実現してもよく、この場合には、コンピュータを上記各手段として動作させることにより上記着脱型記録媒体再生装置をコンピュータにて実現させる着脱型記録媒体再生装置の制御プログラム、およびそ
れを記録したコンピュータ読み取り可能な記録媒体も、本発明の範疇に入る。
【発明の効果】
【００３１】
本発明の着脱型記録媒体再生装置は、以上のように、再生時に、記録媒体読み出し部に、再生開始位置から所定時間分のデータを着脱型記録媒体から読み出させ、該データを記憶部に記憶させるデータ記憶手段と、上記再生開始位置から再生を再開する時、上記記憶部から上記データを読み出すデータ読み出し手段とを備えるものである。
【００３２】
また、本発明の着脱型記録媒体再生方法は、以上のように、再生時に、記録媒体読み出し部に、再生開始位置から所定時間分のデータを着脱型記録媒体から読み出させ、該データを記憶部に記憶するデータ記憶ステップと、上記再生開始位置から再生を再開する時、上記記憶部から上記データを読み出すデータ読み出しステップとを含む方法である。
【００３３】
それゆえ、上記着脱型記録媒体再生方法及び着脱型記録媒体レコーダ装置は、前回の再生開始位置と同じ位置から再度再生する場合においても、再生開始まで時間を短縮することが可能であるという効果を奏する。
【図面の簡単な説明】
【００３４】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図３】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図４】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図５】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図６】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図７】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図８】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１２】領域１に記録されていたコンテンツ１およびコンテンツ２を削除した後に、新たにコンテンツ４を録画したときの記憶部およびディスク１の状態を示す図である。
【図１３】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１４】コンテンツ１〜３を記録したディスク１が装填されている場合の各記憶部の状態を示す図である。
【図１５】マイディスクが装填されている場合において、再生時にコンテンツが読み出される媒体を模式的に示した図である。
【図１６】ドライブ部に光ディスクが装填されていない場合の各記憶部の状態を示す図である。
【図１７】マイディスクが装填されていない場合において、再生時にコンテンツが読み出される媒体を模式的に示した図である。
【図１８】マイディスクが装填されている場合において、コンテンツが編集される媒体を模式的に示した図である。
【図１９】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２０】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２１】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２２】表示装置におけるコンテンツおよびタイトルリストに記録されている情報の表示を概略的に示す図である。
【図２３】新規メディアＩＤの記憶部への登録の様子を示す光ディスク再生装置の概略図である。
【図２４】再生停止時の再生データの記憶部への記録の様子を示す光ディスク装置の概略図である。
【図２５】別の光ディスクを装填した時の再生データの記憶部への記録の様子を示す光ディスク装置の概略図である。
【図２６】記憶部に再生データが記録された光ディスクを再装填した時の光ディスクの再生の様子を示す光ディスク装置の概略図である。
【図２７】再生位置指定方法の選択において、つづきから再生を選択した場合の光ディスクの再生の様子を示す光ディスク装置の概略図である。
【図２８】光ディスク再生方法の概略を示すフローチャートである。
【図２９】光ディスク再生方法を説明するための機能ブロック図である。
【図３０】保存タイトルリストの表示例を示す図である。
【発明を実施するための形態】
【００３５】
本発明に係るレコーダ装置の構成および当該レコーダ装置の動作の概要について、以下に説明する。なお、本実施形態に係るレコーダ装置は、コンテンツを着脱可能な記録媒体（着脱型記録媒体）の一例としての光ディスクに記録する記録機能だけでなく、記録媒体に記録されているコンテンツおよび外部より取得したコンテンツを再生する再生機能を有するレコーダ装置である。
【００３６】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００３７】
＜レコーダ装置１００の構成＞
本実施形態に係るレコーダ装置の構成について、図１を参照しつつ以下に説明する。図１は、レコーダ装置１００の要部構成を示すブロック図である。
【００３８】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００３９】
ドライブ部３００は、従来の光ディスクドライブ装置が備えている機能に加え、以下の機能を新規な機能を有している。すなわち、（１）ユーザにより指定された複数の光ディスクをマイディスクとして登録する登録機能、（２）マイディスクとして登録された光デ
ィスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００４０】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４１】
ドライブ部３００は、図１に示すように、インターフェース部３１０、ドライブ制御部３２０、記録媒体ドライブ部の一例としてのディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００４２】
本明細書等では、記憶部３４０における各領域に対して対応付けられた光ディスク、すなわち自身の有するメディアＩＤが記憶部３４０に記録されている光ディスクを「マイディスク」と称する。
【００４３】
バックエンド部２００およびドライブ部３００の備える各部材について、以下に説明する。
【００４４】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４５】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４６】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４７】
なお、ストリーム処理部２３０において処理されたコンテンツデータは、一時的にバッファ部２５０に格納される。バッファ部２５０は、表示装置またはドライブ部３００に対
して出力するコンテンツデータ（映像データ、音声データなど）を一時的に記憶するメモリである。バッファ部２５０は、揮発メモリを用いることが一般的であるが、不揮発性メモリを用いてもよい。
【００４８】
（バックエンド制御部２４０）
バックエンド制御部２４０は、レコーダ装置１００におけるコンテンツデータの記録および再生全般を制御する。
【００４９】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００５０】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５１】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５２】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５３】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５４】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００５５】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００５６】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００５７】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００５８】
なお、本実施形態では、インターフェース部２９０、３１０がＳＡＴＡである場合を例に挙げて説明する。
【００５９】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６０】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６１】
インターフェース部２９０、３１０がＡＴＡインターフェースである場合、バックエンド制御部２４０からの書き込み命令および読み出し命令は、ＡＴＡコマンドとなる。
【００６２】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３４０に出力するようにしてもよい。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００６３】
なお、これは書き込み命令に限るものではなく、読み出し命令についても同様である。
【００６４】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００６５】
ディスクドライブ部３３０は、装填されている光ディスクからデータを読み出したり、光ディスク対してデータを書き込んだりするための光ピックアップ部などを備えている。
【００６６】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６７】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６８】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２（ａ）および（ｂ）および図３（ａ）および（ｂ）を参照して説明する。レコーダ装置１００における事前設定は、記憶部３４０の初期化処理と、記憶部３４０に対する光ディスクの登録処理の２つに大別することができる。
【００６９】
＜記憶部３４０の初期化処理＞
記憶部３４０の初期化処理について、図２（ａ）および（ｂ）を参照しつつ説明する。図２（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００７０】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７１】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２（ａ）に示すような画像を表示することが好ましい。
【００７２】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００７３】
図２（ｂ）は、初期化処理後の記憶部３４０を示している。図２（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７４】
管理領域は、図２（ｂ）に示すように、領域１〜領域ｎを管理するマイディスク管理領
域と、マイディスク管理領域を管理するメモリ管理領域と、に分けることができる。
【００７５】
マイディスク管理領域には、領域１〜領域ｎの各領域を管理する管理情報が記録されている。図２（ｂ）では、便宜上、領域１を管理する管理情報の記録されている領域を「エントリ１」と称し、以下同様に領域２〜ｎを管理する管理情報の記録されている領域をエントリ２〜ｎと称する。
【００７６】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００７７】
「エントリ番号」は、いずれの領域を管理するのかを示す情報である。例えば、エントリ１は、領域１を管理する管理情報であるため、エントリ番号としては「１」を示す情報が記録されている。
【００７８】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００７９】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８０】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００８１】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８２】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００８３】
また、メモリ管理領域には、図２（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８４】
なお、記憶部３４０を領域１〜領域ｎに仮想的に分割した時に生じる余りの領域を予備領域として活用するようにしてもよい。
【００８５】
＜光ディスクの登録処理＞
次に、記憶部３４０に対する光ディスクの登録処理について、図３（ａ）および（ｂ）を参照しつつ説明する。図３（ａ）および（ｂ）は、光ディスクの登録処理を示す図であり、（ａ）は光ディスクの登録処理の際の表示装置における表示の一例を示した図であり
、（ｂ）は光ディスクの登録処理後の記憶部３４０を模式的に示した図である。
【００８６】
光ディスクの登録処理とは、記憶部３４０において仮想的に分割されている各領域を管理するエントリに対して、光ディスクのメディアＩＤを記録する処理である。
【００８７】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００８８】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００８９】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００９０】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００９１】
なお、メディアＩＤをエントリに記録する際には、表示装置に図３（ａ）に示すような画像を表示するようにすることが好ましい。
【００９２】
図３（ｂ）は、メディアＩＤ「ａａａ」を有する光ディスクをエントリ１に記録した場合における光ディスクの登録後の記憶部３４０の状態を示している。
【００９３】
光ディスクのメディアＩＤをエントリ１に記録した場合、図３（ｂ）に示すように、光ディスクはエントリ１により管理される領域１に対して対応付けられることになる。
【００９４】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００９５】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に
説明する。
【００９６】
レコーダ装置１００におけるコンテンツ録画動作について、図４（ａ）〜（ｃ）〜図１３（ａ）〜（ｃ）を参照して以下に説明する。なお、ここでは、コンテンツ録画動作として、予約録画処理を例に挙げて説明する。
【００９７】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００９８】
（予約登録処理）
まず、レコーダ装置１００における予約登録処理について、図４（ａ）〜（ｃ）を参照しつつ以下に説明する。図４（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【００９９】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１００】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１０１】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４（ｂ））。このとき、ディスク１には、既にメディアＩＤは記録されているため、メディアＩＤについては記録しなくてもよい。
【０１０２】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１０３】
図４（ｃ）には、記憶部３４０の領域１に対応付けられたディスク１を装填している場合に予約登録した際の表示装置に表示する画像の一例を示している。
【０１０４】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５（ａ）および（ｂ）を参照しつつ以下に説明する。図５（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１０５】
コンテンツ１の録画が完了すると、図５（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１０６】
次に、コンテンツ１を記憶部３４０の領域１およびディスク１に記録した際の記憶部３４０および記憶部２８０の状態について図６（ａ）〜（ｃ）を参照しつつ以下に説明する。図６（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１０７】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１０８】
図６（ａ）には、記憶部３４０の領域１における仮想ディスクイメージを示している。図６（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１０９】
続いて、図６（ａ）において示した物理アドレスと仮想アドレスとの関連付けを実現するためのマップテーブルについて、図６（ｂ）を参照しつつ説明する。
【０１１０】
マップテーブルは、記憶部３４０のマイディスク管理領域におけるマップ情報として記録されている。マップテーブルは、図６（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１１】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１２】
マップテーブルは、コンテンツ１が領域１に記録されると共に内容が更新される。記憶部３４０の領域１が図６（ａ）に示す状態である場合のマップテーブルを、図６（ｂ）に示す。図６（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１３】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１１４】
なお、図６（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１１５】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１１６】
タイトル管理テーブルには、図６（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１１７】
図６（ｂ）に示したマップテーブルを設定したときのタイトル管理テーブルの一例を、図６（ｃ）に示している。このとき、タイトル１における残りダビング回数は、コンテンツ１をディスク１へ記録したため、残り１０回から１回減算されて「９」回となっている。
【０１１８】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７（ａ）および（ｂ）を参照しつつ以下に説明する。図７（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１１９】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１２０】
コンテンツ２の録画が終了すると、図７（ｂ）に示すように、バックエンド制御部２４０は記憶部２８０における予約情報管理領域からコンテンツ２の予約録画を示す予約情報を消去する。
【０１２１】
次に、コンテンツ２を記憶部３４０の領域１に記録した際の記憶部３４０および記憶部２８０の状態について図８（ａ）〜（ｃ）を参照しつつ以下に説明する。図８（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１２２】
図８（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２３】
コンテンツ２が領域１に記録されると共に、記憶部３４０のエントリ１におけるマップ情報に記録されているマップテーブルも更新される。記憶部３４０の領域１が図８（ａ）に示す状態のマップテーブルを、図８（ｂ）に示す。図８（ｂ）に示すように、図６（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１２４】
また、図８（ｃ）には、図８（ｂ）に示したマップテーブルが設定されたときのタイトル管理テーブルの一例を示している。図８（ｃ）に示すように、タイトル管理テーブルでは、図６（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１２５】
（コンテンツの同期処理）
次に、記憶部３４０に記録されたコンテンツであってマイディスクに対して記録されて
いないコンテンツを、マイディスクに対して記録する同期処理について、図９〜図１１（ａ）〜（ｃ）を参照して以下に説明する。
【０１２６】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１２７】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１２８】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０およびディスク１の状態を示す図である。
【０１２９】
次に、記憶部３４０の領域１に記録されているコンテンツ２をディスク１に書き出した際の記憶部３４０および記憶部２８０の状態について図１０（ａ）〜（ｃ）を参照しつつ以下に説明する。図１０（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３０】
図１０（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１３１】
コンテンツ２の同期処理が完了すると、図１０（ｂ）に示すように、エントリ１のマップ情報に記録されているマップテーブルの同期フラグが、コンテンツがマイディスクに記録されていることを表す「１」となる。また、図１０（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１３２】
次に、ディスク１において「０ｘ２５０」を先頭アドレスとするコンテンツ（コンテンツ３）が既に記録されている場合のコンテンツ２の同期処理について、図１１（ａ）〜（ｄ）を参照して以下に説明する。
【０１３３】
図１１（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１３４】
図１１（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１３５】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１３６】
このとき、領域１のマップテーブルについても、図１１（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１３７】
同様に、図１１（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１３８】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１３９】
図１２は、領域１に記録されていたコンテンツ１およびコンテンツ２を削除した後に、新たにコンテンツ４を録画したときの記憶部３４０およびディスク１の状態を示す図である。なお、図１２は、マイディスクが装填されている状態での録画のため、コンテンツ４はディスク１に対しても記録されている。
【０１４０】
図１２に示す状態、すなわちコンテンツ１およびコンテンツ２を領域１から削除した後に領域１にコンテンツ４を記録したときの記憶部３４０および記憶部２８０の状態について図１３（ａ）〜（ｃ）を参照しつつ以下に説明する。図１３（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１４１】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１３（ａ）に示すように、コンテンツ１およびコンテンツ２は、仮想ディスクイメージ上においては消去されることなく残されている。すなわち、図１３（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１４２】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１４３】
また、図１３（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１４４】
＜コンテンツ再生動作＞
次に、レコーダ装置１００におけるコンテンツの再生動作について、図１４〜図１７を参照しつつ以下に説明する。
【０１４５】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１４６】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１４７】
（マイディスクが装填されている場合の再生処理）
マイディスクが装填されている場合の再生処理について、図１４および図１５を参照して以下に説明する。図１４は、コンテンツ１〜３を記録したディスク１が装填されている
場合の記憶部３４０および記憶部２８０の状態を示す図である。図１５は、マイディスクが装填されている場合において、再生時にコンテンツが読み出される媒体を模式的に示した図である。
【０１４８】
図１４に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１４では、タイトル管理テーブルの詳細については省略して示している。
【０１４９】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１５０】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１５１】
領域１からコンテンツ１を読み出したドライブ制御部３２０は、読み出したコンテンツ１を、インターフェース部３１０を介してバックエンド部２００に出力する。
【０１５２】
このように、読み出しの対象となるコンテンツがマイディスクにも記憶部３４０にも記録されている場合、図１５に示すように、コンテンツは記憶部３４０から読み出される。
【０１５３】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１５４】
ディスク１からコンテンツ３が読み出されると、ドライブ制御部３２０は、読み出したコンテンツ３を、インターフェース部３１０を介してバックエンド部２００に出力する。
【０１５５】
このように、読み出しの対象となるコンテンツが記憶部３４０に記録されていない場合、図１５に示すように、コンテンツはマイディスクから読み出される。
【０１５６】
（マイディスクが装填されていない場合の再生処理）
続いて、マイディスクが装填されていない場合の再生処理について、図１６および図１
７を参照して以下に説明する。図１６は、ドライブ部３００に光ディスクが装填されていない場合の記憶部３４０および記憶部２８０の状態を示す図である。図１７は、マイディスクが装填されていない場合において、再生時にコンテンツが読み出される媒体を模式的に示した図である。
【０１５７】
図１６に示すように、記憶部３４０の領域１には、コンテンツ１およびコンテンツ２が記録されている。しかし、図１４の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、図１４と同様に、タイトル管理テーブルの詳細については省略して示している。
【０１５８】
図１６に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１５９】
すなわち、図１７に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１６０】
なお、図１７に示すコンテンツ１の読み出し処理は、マイディスクが装填されている場合におけるコンテンツ１の読み出し処理と同様であるため、ここでは説明を省略する。
【０１６１】
＜コンテンツ編集動作＞
次に、レコーダ装置１００におけるコンテンツの編集動作について、図１８および図１９（ａ）および（ｂ）を参照しつつ以下に説明する。
【０１６２】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１６３】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１６４】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１６５】
（マイディスクが装填されている場合の編集処理）
マイディスクが装填されている場合の編集処理について、図１４および図１８を参照して以下に説明する。図１８は、マイディスクが装填されている場合において、コンテンツが編集される媒体を模式的に示した図である。
【０１６６】
図１４に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１４では、タイトル管理テーブルの詳細については省略して示している。
【０１６７】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１６８】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１６９】
このように、データを変更する対象となるコンテンツがマイディスクにも記憶部３４０にも記録されている場合、図１８に示すように、記憶部３４０に記録されているコンテンツのデータが変更されることになる。
【０１７０】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１７１】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１７２】
（マイディスクが装填されていない場合の編集処理）
続いて、マイディスクが装填されていない場合のコンテンツの編集処理について、図１６および図１９（ａ）および（ｂ）を参照して以下に説明する。図１９（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１７３】
図１６に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１７４】
すなわち、図１９（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１７５】
＜コンテンツコピー動作＞
次に、レコーダ装置１００におけるコンテンツのコピー動作について、図２０（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２０（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１７６】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１７７】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２０（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１７８】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２０（ｂ）に示すように、ディスク１のタイト
ル管理領域におけるコンテンツ２の残りダビング回数は「８」となり、ディスク２のタイトル管理領域におけるコンテンツ２の残りダビング回数は「１」となる。
【０１７９】
なお、図２０（ａ）に示すように、ディスク２はドライブ部３００に装填されていないため、領域２に記録されているコンテンツ２の同期状態は、未同期を表す情報である。
【０１８０】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１８１】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１８２】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１８３】
ここで、光ディスクのファイルシステムを利用したデータ管理について、図２１（ａ）〜（ｃ）を参照しつつ以下に説明する。図２１（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１８４】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１８５】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２１（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１８６】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコン
テンツの情報（例えば、そのコンテンツの記録されている光ディスクのアドレス、そのコンテンツを示すタイトル情報など）を取得する。
【０１８７】
なお、図２１（ａ）には、ディスク１に関するファイルシステムについてのみ示しているが、記憶部２８０のファイルシステム管理領域には、マイディスクとして登録されているディスクの数だけファイルシステムが記録されている。
【０１８８】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１８９】
さらに、図２１（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１９０】
このように、記憶部３４０に記録されているマップ情報は、本実施形態ではコンテンツごとの配置情報として示しているが、より正確には、図２１（ｃ）に示すように、領域（ファイル）ごとの配置情報を示すものである。
【０１９１】
また、マイディスクの登録解除の際には、ファイルシステム管理領域に記録されているファイルシステムについても、タイトル管理情報と併せて削除される。
【０１９２】
＜表示装置における表示例＞
最後に、レコーダ装置１００に接続された表示装置におけるコンテンツとタイトルリストに記録されている情報との表示例について、図２２を参照しつつ以下に説明する。図２２は、表示装置５００上でのコンテンツおよびタイトルリストに記録されている情報の表示を概略的に示す図である。
【０１９３】
操作入力部を介してユーザーがタイトルリストの表示をレコーダ装置１００に対して指示すると、表示装置５００では、タイトルリストおよびコンテンツが図２２に示すように表示される。
【０１９４】
すなわち、図２２に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１９５】
タイトルリスト表示部５２０には、図２２に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１９６】
図２２では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１９７】
＜光ディスクの再生＞
次に、図２３〜図３０に基づいて、上記レコーダ装置１００から、着脱型記録媒体の一例である光ディスクの再生機能のみを抽出した装置を光ディスク再生装置１１０とし、以下、光ディスク再生装置１１０における光ディスクの再生について説明する。
【０１９８】
ここで、図２３〜図２７は、光ディスクの再生の様子を説明するための光ディスク再生装置の概略図である。また、図２８は、光ディスク再生方法の概略を示すフローチャートである。また、図２９は、光ディスク再生方法を説明するための機能ブロック図である。また、図３０は、保存タイトルリストの表示例を示す図である。
【０１９９】
上記光ディスク再生装置１１０での光ディスクの再生は、その再生を停止する際に、再生を停止した場所から数分程度（例えば２〜３分）再生可能なデータを光ディスクから読み込み、そのデータを記憶しておくことができる。また、再生を停止する際に、その再生の先頭から数分程度再生可能なデータを光ディスクから読み込み、そのデータを記憶しておくことができる。
【０２００】
また、上記光ディスク再生装置１１０では、上記データの記憶が、記憶部の、個々の光ディスクに割り当てられた領域に行われる。以下説明する。
【０２０１】
＜光ディスクレコーダ装置の構成＞
まず、本実施の形態の光ディスク再生装置１１０の概略構成について、特に光ディスクの再生に関係する部分を説明する。
【０２０２】
上記光ディスク再生装置１１０は、先に図１に基づいて説明した通り、バックエンド部２００と、ドライブ部３００とを主な構成要素とする。
【０２０３】
（ドライブ部）
上記光ディスク再生装置１１０のドライブ部３００は、上記図２３などに示すように、ハイブリッドドライブ装置として構成されている。ここで、上記ハイブリッドドライブ装置とは、光ディスクドライブと、２ｎｄドライブとして機能するメモリ（２ｎｄメモリ）とが備えられた装置を意味する。
【０２０４】
具体的には、上記ドライブ部３００には、記録媒体ドライブ部の一例である、上記光ディスクドライブとしてのディスクドライブ部３３０と、２ｎｄメモリとして記憶部３４０が備えられている。
【０２０５】
上記２ｎｄメモリとしての記憶部３４０は、例えばフラッシュメモリなどで構成することが可能である。そして、上記記憶部３４０は、上記ディスクドライブ部３３０と連携して動作する仮想ドライブとなっている。
【０２０６】
（バックエンド部）
また、バックエンド部２００には、ユーザーからの操作内容が入力されるとともに、その入力内容に基づいて上記ドライブ部３００を制御するバックエンド制御部２４０が設けられている。そして、上記ユーザーからの操作内容は、先に図１に示した各インターフェ
ース部２９０・３１０を介して、ドライブ部３００のドライブ制御部３２０に入力される。
【０２０７】
また、バックエンド部２００に設けられている画像処理部２７０は、表示装置４００に接続されている。そして、上記画像処理部２７０から、上記表示装置４００に再生映像・音声が出力される。
【０２０８】
ここで、上記画像処理部２７０は、ディスクドライブ部３３０を介して光ディスクから読み込まれたデータに基づいてリアルタイムに上記再生映像等を上記画像処理部２７０に出力することができるとともに、ドライブ部３００の記憶部３４０に記憶されたデータを再生することで、上記再生映像等を上記画像処理部２７０に出力することもできる。詳細については後に説明する。
【０２０９】
また、上記バックエンド部２００は、ストリームをデコードして表示する機能を有するように構成されている。
【０２１０】
次に、図２９に示す機能ブロック図を参照しながら、上記光ディスク再生装置１１０の構成について説明する。
【０２１１】
図２９に示すように、光ディスク再生装置１１０のドライブ部３００のドライブ制御部３２０は、記録媒体読み出し部の一例であり、着脱型記録媒体としての光ディスクを読み出す、光ディスク読み出し部３２２、メディアＩＤ管理部（データ領域特定手段）３２４、再生データ管理部（データ読み出し手段、データ記憶手段）３２６を少なくとも備えて構成されている。
【０２１２】
光ディスク読み出し部３２２は、上記ディスクドライブ部３３０に装填されている光ディスクＤからデータを読み出す。また、光ディスク読み出し部３２２は、光ディスクＤの再生中、所定時間分のデータを先読みする。
【０２１３】
メディアＩＤ管理部３２４は、上記ディスクドライブ部３３０に装填されている光ディスクＤに割り当てられているデータ領域を特定する。
【０２１４】
再生データ管理部３２６は、再生時に、上記光ディスク読み出し部３２２に、再生開始位置から所定時間分のデータを光ディスクＤから読み出させ、該データを上記記憶部３４０のデータ領域ｄｎに記憶させる。また、再生データ管理部３２６は、上記再生開始位置から再生を再開する時、上記記憶部３４０のデータ領域ｄｎから上記データを読み出す。
【０２１５】
また、再生データ管理部３２６は、再生停止時に、上記光ディスク読み出し部３２２に読み出させた、再生停止した位置から所定時間分のデータを、上記記憶部３４０のデータ領域ｄｎに記憶させる。さらに、再生データ管理部３２６は、再生再開時に、上記記憶部３４０のデータ領域ｄｎから上記データを読み出す。
【０２１６】
また、再生データ管理部３２６は、再生停止時の直前に上記光ディスク読み出し部３２２が先読みしたデータを、上記記憶部３４０のデータ領域ｄｎに記憶する。
【０２１７】
また、再生データ管理部３２６は、再生停止時に、上記メディアＩＤ管理部３２４によって特定された上記記憶部３４０のデータ領域ｄｎに、上記光ディスク読み出し部３２２が光ディスクＤから読み出した上記データを記憶させる。さらに、再生データ管理部３２６は、再生再開時に、上記メディアＩＤ管理部３２４によって特定された上記記憶部３４０のデータ領域ｄｎから、上記データを読み出す。
【０２１８】
また、再生データ管理部３２６は、上記データを上記記憶部３４０のデータ領域ｄｎに記憶する際、該データの光ディスクＤ上での位置を示す位置情報を、該データと対応付けて記憶させる。さらに、再生データ管理部３２６は、再生再開時に、再生再開時の光ディスクＤ上のデータの位置を示す上記位置情報が上記記憶部３４０のデータ領域ｄｎに記憶されている場合、該位置情報に対応付けて記憶されているデータを該データ領域から読み出す。
【０２１９】
また、再生データ管理部３２６は、再生再開時に、上記メディアＩＤ管理部３２４によって特定された上記記憶部３４０のデータ領域ｄからデータを読み出すとともに、該データに続くデータの読み出しを上記光ディスク読み出し部３２２に指示する。
【０２２０】
上述のように、記憶部３４０は、光ディスクＤのデータを記憶するための複数個のデータ領域ｄに分割されているとともに、該データ領域ｄは、各々別個の光ディスクＤに割り当てられている。そして、上記データ領域ｄは、割り当てられた１つの光ディスクＤについて、上記位置情報と、該位置情報に対応付けられるデータとを複数組記憶可能である。
【０２２１】
＜光ディスク再生方法＞
次に、本実施の形態の光ディスク再生方法について、上記図２８に示すフローチャート、及び、上記図２９に示す機能ブロック図に基づいて説明する。
【０２２２】
（メディアＩＤの読み出し：Ｓ１）
まず、光ディスクＤが上記ディスクドライブ部３３０に装填されると、上記ドライブ制御部３２０の光ディスク読み出し部３２２が、光ディスクからメディアＩＤ（ディスクＩＤ）を読み出す。
【０２２３】
（メディアＩＤ登録の有無判断：Ｓ２）
読み出された上記メディアＩＤは、上記光ディスク読み出し部３２２から、上記ドライブ制御部３２０に設けられた、データ領域特定手段としてのメディアＩＤ管理部３２４に伝達される。
【０２２４】
そして、上記メディアＩＤ管理部３２４は、上記メディアＩＤが上記記憶部２８０に登録されているか否かを、上記メディアＩＤと上記管理情報とを比較することで判定する。
【０２２５】
（記憶部）
ここで、上記記憶部２８０は、先に説明した管理領域ｃと、再生データ等が記憶される領域とを有している。
【０２２６】
そして、上記再生データ等が記憶される領域は、複数個のデータ領域（ｄ１〜ｄｎ＋１）で構成されている。言い換えると、上記再生データ等が記憶される領域は、ｎ＋１個のデータ領域に分割されている。
【０２２７】
この各データ領域は、各々１個の光ディスクに割り当てられる。すなわち、１個の上記メディアＩＤに対して、１個のデータ領域が割り当てられる。そして、そのメディアＩＤが割り当てられた上記データ領域が、当該光ディスクに対する対応領域となる。
【０２２８】
また、どのデータ領域に、どのメディアＩＤが割り当てられたかの情報は、上記管理領域ｃに管理情報として記憶される。
【０２２９】
そして、メディアＩＤが上記記憶部２８０に登録されているか否かの上記判定は、上記
メディアＩＤ管理部３２４が、判定の対象となるメディアＩＤが、上記管理領域ｃに登録されているか否かを判定することによって行う。
【０２３０】
（未登録の場合）
まず、上記メディアＩＤが上記管理領域ｃに登録されていない場合について説明する。
【０２３１】
（メディアＩＤの登録：Ｓ３）
上記の場合には、上記メディアＩＤ管理部３２４が上記管理領域ｃに上記メディアＩＤを登録する。具体的には、上記光ディスク読み出し部３２２から上記メディアＩＤ管理部３２４に上記メディアＩＤが伝達される。そして、上記メディアＩＤ管理部３２４が上記メディアＩＤを上記管理領域ｃに伝達するとともに、上記メディアＩＤを上記管理領域ｃに登録する。
【０２３２】
（データ領域の割り当て：Ｓ３）
上記メディアＩＤの登録に続いて、上記データ領域の１個に、上記メディアＩＤを割り当てる。具体的には、上記メディアＩＤ管理部３２４が、上記割り当てを行い、割り当てられたデータ領域が、先に説明した、該メディアＩＤを有する光ディスクに対する対応領域となる。
【０２３３】
ここで、図２３に基づいて、上記メディアＩＤの登録、及び、データ領域の割り当てが行われた記憶部３４０の様子を説明する。図２３に示す例では、データ領域ｉに上記メディアＩＤが割り当てられた場合を示している。
【０２３４】
まず、各データ領域の内部構造について説明する。上記データ領域は、主に上記メディアＩＤ、有効／無効情報、先頭再生データ、及び、つづき再生データが記憶可能に構成されている。
【０２３５】
上記先頭再生データとは、光ディスクの先頭位置から所定時間分のデータであり、上記つづき再生データとは、光ディスクの再生が停止された位置から所定時間分のデータを意味する。
【０２３６】
また、上記有効／無効情報とは、上記データ領域に上記先頭再生データ又は上記つづき再生データが記憶されているかを示す情報である。具体的には、上記先頭再生データおよび上記つづき再生データの少なくともいずれか一方のデータが登録されている場合には、上記有効／無効情報は「有効」となり、他方、上記先頭再生データおよび上記つづき再生データのいずれのデータも登録されていない場合には、上記有効／無効情報は「無効」となる。
【０２３７】
データ領域にメディアＩＤが割り当てられた状態では、図２３に示すように、メディアＩＤとして、装填された光ディスク（光ディスクＤ）のメディアＩＤである「ＩＤ＿００００１」が登録されている。
【０２３８】
そして、上記状態では、上記先頭再生データ及び上記つづき再生データのいずれも登録されていないので、上記有効／無効情報は「無効」となっている。
【０２３９】
（光ディスクの再生：Ｓ７）
次に、光ディスクが再生される。ここでは、光ディスクから読み出されたデータから直接リアルタイムに再生が行われる。なお、この再生は、上記読み込み等が終了した後、自動的に開始される。
【０２４０】
具体的には、上記光ディスク読み出し部３２２が、ディスクドライブ部３３０を介して光ディスクＤから再生データを読み出す。そして、読み出された再生データは、インターフェース部３１０・２９０を介して、バックエンド部２００の画像処理部２７０に伝達される。そして、再生データに基づいて、上記画像処理部２７０が、再生映像・音声を上記表示装置４００に出力する。
【０２４１】
（再生開始位置情報）
上記光ディスクの再生の際、その再生開始位置は、バックエンド部２００からドライブ部３００に伝達される。具体的には、まずバックエンド制御部２４０が、ユーザーが指定した再生開始位置情報を取得し、インターフェース部２９０・３１０を介して上記光ディスク読み出し部３２２に伝達する。そして、上記光ディスク読み出し部３２２は、上記再生開始位置情報に指定されている一の再生データを光ディスクＤから読み出す。
【０２４２】
（光ディスクの再生停止：Ｓ８）
次に、ユーザーの指示等に基づいて上記再生が停止される。
【０２４３】
（再生データの記憶：Ｓ９）
上記再生が停止されると、上記先頭再生データ、及び、つづき再生データが上記記憶部３４０に記憶される。
【０２４４】
具体的には、上記光ディスク読み出し部３２２が光ディスクＤから先頭再生データ、及び、つづき再生データを読み出す。そして、読み出された上記各再生データは、上記光ディスク読み出し部３２２から、データ読み出し手段及びデータ記憶手段として機能する再生データ管理部３２６に伝達される（光ディスク読み出しステップ）。
【０２４５】
一方、データ領域特定手段としてのメディアＩＤ管理部３２４が、記憶部３４０のデータ領域の中から、再生されている光ディスクＤに割り当てられているデータ領域を特定する。具体的には、メディアＩＤ管理部３２４は、記憶部３４０の管理領域ｃに、再生されている光ディスクＤのメディアＩＤに対応付けて記憶されているデータ領域特定情報を取得する。つづいて、メディアＩＤ管理部３２４は、光ディスクＤに割り当てられたデータ領域を特定する情報であるデータ領域特定情報を、再生データ管理部３２６に伝達する（データ領域特定ステップ）。
【０２４６】
上記再生データ管理部３２６は、上記データ領域特定情報によって特定されたデータ領域に、上記各再生データを記憶させる（データ記憶ステップ）。
【０２４７】
つづいて、図２３に基づいて、上記先頭再生データ、及び、つづき再生データが記憶された記憶部３４０の様子を説明する。図２３に示す例では、データ領域ｉに上記各データが記憶された場合を示している。
【０２４８】
図２３に示すように、記憶部３４０のデータ領域ｉのなかに、先頭再生データとして、前回再生されたデータの先頭数分ぶん（前回の再生開始位置から数分ぶん）の再生データが記憶されているとともに、つづき再生データとして、再生停止位置から数分ぶんの再生データが記憶されている。
【０２４９】
そして、上記有効／無効情報は、再生データが当該データ領域に記憶されているため、「無効」から「有効」に切り替わっている。
【０２５０】
以上の記憶部３４０への再生データの記憶の終了により、一連のフローが終了する。
【０２５１】
（位置情報）
なお、上記再生データ管理部３２６は、上記先頭再生データ、及び、つづき再生データを記憶部３４０に記憶させるとともに、位置情報を記憶部３４０に記憶させることもできる。
【０２５２】
ここで、上記位置情報には、先頭位置情報と停止位置情報とが含まれる。そして、上記先頭位置情報とは、前回の再生開始時の光ディスク上のデータの位置を示す情報である。また、停止位置情報とは、再生停止時の光ディスク上のデータの位置を示す情報、すなわち、再生停止までに再生が完了したデータにつづくデータの開始位置を示す情報である。
【０２５３】
そして、上記位置情報を、上記各再生データを記憶部３４０に記憶させる際、上記各再生データに対応付けて、記憶部３４０に記憶させることにより、例えば１個のデータ領域に、異なる位置から始まる複数個のデータが記憶されている場合など、所望のデータの検索が容易になる。
【０２５４】
（先読み）
また、上記記憶部３４０に記憶させる先頭再生データ、及び、つづき再生データを光ディスクＤから読み出すタイミングは、特には限定されない。例えば、上記光ディスクＤの再生が停止された際に、上記先頭再生データ、及び、つづき再生データを読み出しても良い。
【０２５５】
又は、上記再生が停止される前に、上記データを読み出しておくこともできる。
【０２５６】
再生が停止される前に上記データを読み出しておく構成としては、例えば、上記光ディスク読み出し部３２２が上記光ディスクＤからデータを読み出しながら、上記光ディスクＤを再生しているときに、上記光ディスク読み出し部３２２は所定時間分のデータを先読みする。そして、再生停止時の直前に上記光ディスク読み出し部３２２が読み出したデータを、当該データが伝達された再生データ管理部３２６が、つづき再生データとして、上記記憶部３４０のデータ領域に、そのデータのディスク上の位置を示す位置情報と対応付けて記憶させるとの構成がある。
【０２５７】
また、同様に、上記先頭再生データも、再生が停止される前、例えば、光ディスクＤが装填された際に、光ディスクＤから読み込んでおくことが可能である。また読み込んだ先頭再生データを、再生が停止される以前に、データ領域に記憶させることもできる。
【０２５８】
（他の光ディスク）
また、上記データ領域は、先に説明した通り、各々別個の光ディスクに割り当てられている。したがって、上記光ディスク１とは異なる光ディスク、例えば光ディスク２に対しては、上記データ領域ｉとは異なるデータ領域が割り当てられる。
【０２５９】
図２５には、光ディスク２に対して、データ領域ｊが割り当てらた場合を例示している。この例では、データ領域ｊに、メディアＩＤとして、光ディスク２のメディアＩＤであるＩＤ＿００００２が登録されている。
【０２６０】
また、管理領域ｃにも、これに対応した管理情報が登録されている。
【０２６１】
（既登録の場合）
次に、上記メディアＩＤ登録の有無判断（Ｓ２）において、上記メディアＩＤが上記管理領域ｃに登録されていると判断された場合について説明する。
【０２６２】
（必要再生データの有無判断：Ｓ４）
上記メディアＩＤが管理領域ｃに既に登録されていると判断された場合には、次に、上記メディアＩＤを有する光ディスクに割り当てられたデータ領域に、必要再生データが記憶されているか否かの判定が行われる。この判定は、必要再生データと、データ領域に記憶されている先頭再生データ及びつづき再生データとを比較することで行われる。ここで、必要再生データとは、ユーザーが指定した再生開始位置に対応した再生データを意味する。以下、具体的に説明する。
【０２６３】
まず、先に説明した通り、ユーザーの指定に基づく再生開始位置情報が、バックエンド部２００からドライブ部３００に伝達される。具体的には、上記再生開始位置情報は、再生データ管理部３２６に伝達される。
【０２６４】
そして、上記再生データ管理部３２６が、上記再生開始位置情報に基づいて、対応するデータ領域に上記必要再生データが記憶されているか否かを判定する。
【０２６５】
（光ディスクの入れ替え）
なお、光ディスクＤが、上記再生停止時から再生再開時までの間に一度排出されたり、入れ替えられたりしている場合などは、先に説明した通り、データ領域特定情報がメディアＩＤ管理部３２４から再生データ管理部３２６に伝達される。具体的には、光ディスク読み出し部３２２が光ディスクＤからメディアＩＤを読み出し、そのメディアＩＤの伝達を受けたメディアＩＤ管理部３２４が、メディアＩＤに対応するデータ領域特定情報を取得して、再生データ管理部３２６に伝達する。
【０２６６】
また、上記再生データ管理部３２６が、上記データ領域に上記必要再生データが記憶されているか否かを判定するに際して、上記有効／無効情報を活用することもできる。すなわち、上記有効／無効情報が「無効」となっている場合には、データ領域には、先頭再生データ及びつづき再生データのいずれのデータも記憶されていないでの、必要再生データの有無の判定を簡素化することができる。
【０２６７】
（必要再生データ無し）
まず、上記判定において、データ領域に必要再生データが記憶されていないと判定された場合について説明する。
【０２６８】
この場合は、記憶部３４０に記憶されている再生データに基づく再生を行うことができないため、先に説明した光ディスクＤからの再生（Ｓ７）に進む。
【０２６９】
（必要再生データ有り）
次に、上記判定において、データ領域に必要再生データが記憶されていると判定された場合について説明する。
【０２７０】
（必要再生データの読み出し：Ｓ５）
この場合は、データ記憶手段として機能する再生データ管理部３２６が上記データ領域から必要再生データを読み出す（データ読み出しステップ）。
【０２７１】
ここで、図２６は、必要再生データが先頭再生データである場合を示し、一方、図２７は、必要再生データがつづき再生データである場合を示している。
【０２７２】
そして、上記再生データ管理部３２６に読み出された上記必要再生データは、上記インターフェース部３１０・２９０を介して、バックエンド部２００の画像処理部２７０に伝達される。
【０２７３】
（表示装置に出力：Ｓ６）
そして、この必要再生データを画像処理部２７０が再生して、再生映像・音声等が表示装置４００に出力される。
【０２７４】
以上のように、記憶部３４０に必要再生データが記憶されている場合には、光ディスクＤからの直接の再生を行うことなく、記憶部３４０に記憶された再生データを再生（デコード）することで表示を行うことができる。そして、記憶部３４０の再生データを再生して表示を行うことで、表示を開始するための光ディスクの読み込みが完了する前に、表示を開始することができる。
【０２７５】
そして、上記必要再生データの再生が終了した後は、つなぎ目なく、シームレスで先に説明した光ディスクからの再生（Ｓ７）に移行する。具体的には、上記必要再生データが尽きる前に、上記再生データ管理部３２６から上記光ディスク読み出し部３２２に、光ディスク読み出し信号が伝達される。
【０２７６】
そして、上記光ディスク読み出し信号により、光ディスク読み出し部３２２は、ディスクドライブ部３３０を介して光ディスクＤから再生データを読み出す。
【０２７７】
その後は、先に説明した光ディスクからの再生（Ｓ７）に移る。具体的には、上記の通り、画像処理部２７０に上記再生データが伝達され、上記画像処理部２７０で、記憶された再生データによる再生から、光ディスクからの再生への切り換えが行われる。
【０２７８】
（複数タイトル）
次に、光ディスクが例えばＢＤ−ＲＥやＢＤ−Ｒ等である場合など、１枚の光ディスクに複数タイトルが含まれている場合の再生再開動作の高速化について説明する。
【０２７９】
なお、以下に説明すること以外は、光ディスクがＢＤ−ＲＯＭ等である場合など、光ディスクに１個のタイトルのみが含まれる場合と同様である。
【０２８０】
まず、上記先頭再生データ及びつづき再生データをデータ領域に記憶させる際、上記再生データ管理部３２６は、該当するタイトル番号と関連付けて、上記各データをデータ領域に記憶させる。このタイトル番号に関する情報は、管理情報として、上記管理領域ｃに登録することも可能である。
【０２８１】
そして、再生再開時には、ユーザーは、再生するタイトル番号を入力する。これにより、上記再生開始位置情報に、タイトル番号に関する情報が含まれる。すなわち、各タイトルの先頭のデータが、タイトル番号と対応付けて記憶されることになる。
【０２８２】
このタイトル番号が含まれた再生開始位置情報に基づいて、上記再生データ管理部３２６は、データ領域に必要再生データが含まれるか否かの判定を行う（Ｓ４）。これにより、光ディスクに複数個のタイトルが含まれている場合であっても、含まれるタイトルが１個である場合と同様に、再生開始までの時間を短縮することができる。
【０２８３】
（保存タイトルリスト）
次に、保存タイトルリストについて、保存タイトルリストの表示例を示す図３０に基づいて説明する。
【０２８４】
図３０に示す保存タイトルリストは、記憶部３４０に記憶されている各光ディスクの記憶データの概要を一覧できるように、保存タイトルリストをグラフィカルユーザーインタ
ーフェース等で、表示装置４００に表示した例である。
【０２８５】
記憶部３４０に、先頭再生データやつづき再生データが記憶されている場合には、再生可能データが存在するので、保存タイトルリストにサムネイルエリアを設け、このサムネイルエリアに静止画サムネイルを表示しても良いし、あるいは、数分ぶんの再生可能データであるので動画サムネイルを表示しても良い。
【０２８６】
また、先頭再生データ及びつづき再生データのいずれの再生データも記憶されていない場合には、上記サムネイル表示は不可として、保存タイトルリスト内の該当表示エリアは例えば灰色でハイライトしておくこともできる。
【０２８７】
また、記憶部３４０に再生データを記憶させる際に、保存タイトルリスト表示用に、例えば、記憶日時、光ディスクのタイトル名などの付属情報を記憶させておいてもよい。そして、保存タイトルリストに情報表示エリアを設け、上記付属情報を表示可能にすることもできる。また保存タイトルリスト上で新規に情報、例えば感想やコメント（ユーザーコメント）などを付与する手段をユーザーに提供してもよい。また保存タイトルリスト上でタイトル名順にソートしたり、ユーザーが付与した情報、例えばお気に入り度など元にソートにする手段を設けたりしてもよい。また上記保存タイトルリストを用いて、記憶されている再生データを消去等できるようにすることもできる。
【０２８８】
なお、上記の説明においては、記憶部３４０に複数個のデータ領域が設けられている構成に基づいて、光ディスク再生装置１１０について説明した。
【０２８９】
ここで、上記先頭再生データを記憶部３４０に記憶させる場合には、記憶部３４０に１個のデータ領域のみを設ける構成も可能である。
【０２９０】
また、上記先頭再生データ、及び、つづき再生データは、必ずしも、厳密に、再生開始時の光ディスク上のデータの位置、及び、再生停止時の光ディスク上のデータの位置以降のデータを意味するものではなく、上記各位置より所定分前の位置も含むデータとすることができる。言い換えると、上記先頭再生データは、再生開始時の光ディスク上のデータの位置の近傍位置から所定の時間分の再生データとすることができる。また、同様に、つづき再生データは、再生停止時の光ディスク上のデータの位置の近傍位置から所定の時間分の再生データとすることができる。
【０２９１】
また、上記記憶部３４０に設けるデータ領域の数や、各データ領域に記憶させる再生データ数の上限などは、システムが許容する範囲内で固定してもよいし、ユーザーが選択できるようにしてもよい。
【０２９２】
また、再生データ数が記憶可能な数の上限に達した場合は、記憶されたデータを削除する手段をユーザーに提供しても良いし、例えば、ドライブ部３００のドライブ制御部３２０や、バックエンド部２００のバックエンド制御部２４０が自動的に削除するようにしてもよい。自動で削除する場合の方法としては、例えば、記憶部３４０に再生可能データを記憶させる際に日時情報を付与しておき、古いものから順に削除していく方式などとしてもよい。
【０２９３】
また、上記の説明においては、メディアＩＤや必要再生データの比較が、ドライブ部３００のドライブ制御部３２０で行われる構成について説明したが、上記ドライブ制御部３２０の機能を、バックエンド部２００のバックエンド制御部２４０が行うように構成することも可能である。
【０２９４】
最後に、光ディスク再生装置１１０の各ブロック、特にドライブ制御部３２０のメディアＩＤ管理部３２４、再生データ管理部３２６は、ハードウェアロジックによって構成してもよいし、次のようにＣＰＵを用いてソフトウェアによって実現してもよい。
【０２９５】
すなわち、光ディスク再生装置１１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである光ディスク再生装置１１０の制御プログラムのプログラムコード（実行形式プログラム、中間コードプログラム、ソースプログラム）をコンピュータで読み取り可能に記録した記録媒体を、上記光ディスク再生装置１１０に供給し、そのコンピュータ（またはＣＰＵやＭＰＵ）が記録媒体に記録されているプログラムコードを読み出し実行することによっても、達成可能である。
【０２９６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２９７】
また、光ディスク再生装置１１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２９８】
なお、本発明は上記した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【０２９９】
本発明は、光ディスクの再生開始までの時間を短縮することができるので、ブルー−レイディスクなど、一般に再生開始までの時間が長い光ディスクの再生に好適に利用可能である。
【符号の説明】
【０３００】
１００    レコーダ装置
１１０    光ディスク再生装置
２００    バックエンド部
２１０    チューナー部
２２０    エンコーダ部
２３０    ストリーム処理部
２４０    バックエンド制御部
２５０    バッファ部
２６０    デコーダ部
２７０    画像処理部
２８０    記憶部
２９０    インターフェース部
３００    ドライブ部
３１０    インターフェース部
３２０    ドライブ制御部
３２２    光ディスク読み出し部（記録媒体読み出し部）
３２４    メディアＩＤ管理部（データ領域特定手段）
３２６    再生データ管理部（データ読み出し手段、データ記憶手段）
３３０    ディスクドライブ部（記録媒体ドライブ部）
３４０    記憶部
４００    表示装置
【図１】
2010244656.tif 000003
【図２】
2010244656.tif 000004
【図３】
2010244656.tif 000005
【図４】
2010244656.tif 000006
【図５】
2010244656.tif 000007
【図６】
2010244656.tif 000008
【図７】
2010244656.tif 000009
【図８】
2010244656.tif 000010
【図９】
2010244656.tif 000011
【図１０】
2010244656.tif 000012
【図１１】
2010244656.tif 000013
【図１２】
2010244656.tif 000014
【図１３】
2010244656.tif 000015
【図１４】
2010244656.tif 000016
【図１５】
2010244656.tif 000017
【図１６】
2010244656.tif 000018
【図１７】
2010244656.tif 000019
【図１８】
2010244656.tif 000020
【図１９】
2010244656.tif 000021
【図２０】
2010244656.tif 000022
【図２１】
2010244656.tif 000023
【図２２】
2010244656.tif 000024
【図２３】
2010244656.tif 000025
【図２４】
2010244656.tif 000026
【図２５】
2010244656.tif 000027
【図２６】
2010244656.tif 000028
【図２７】
2010244656.tif 000029
【図２８】
2010244656.tif 000030
【図２９】
2010244656.tif 000031
【図３０】
2010244656.tif 000032